(57)【要約】【課題】  ブラケットをラックのポストにより確実に取り付けることが可能なスライドレールアセンブリを提供すること。【解決手段】  スライダレールアセンブリはレール部材及びブラケットを含む。ブラケット及びレール部材は、互いに対して変位できる。レール部材及びブラケットのうちの一方はブロック部を備え、レール部材及びブラケットのうちの他方はロック装置を備える。ブラケットがレール部材に対して所定の位置にあり且つロック装置がロック状態にある場合、ロック装置は、ブラケットが所定の位置から特定の方向に変位するのを防止するためにブロック部をブロックするとともにブロック部によってブロックされる。【選択図】  図２
2020199242.tif 000002
【特許請求の範囲】
【請求項１】
レール部材と、
第１のブラケットであって、該第１のブラケットと前記レール部材とは、互いに対して変位可能である、第１のブラケットと、
を含むスライドレールアセンブリであって、
前記レール部材及び前記第１のブラケットのうちの一方はブロック部を備え、前記レール部材及び前記第１のブラケットのうちの他方はロック装置を備え、
前記ロック装置はロック状態を有し、
前記第１のブラケットが前記レール部材に対して所定の位置にあり且つ前記ロック装置がロック状態にある場合、前記ロック装置は、前記第１のブラケットが前記所定の位置から第１の方向に変位するのを防止するために、前記ブロック部をブロックするとともに前記ブロック部によってブロックされる、スライドレールアセンブリ。
【請求項２】
前記レール部材及び前記第１のブラケットのうちの前記一方は別のブロック部をさらに備え、前記第１のブラケットが前記レール部材に対して前記所定の位置にあり且つ前記ロック装置がロック状態にある場合に、前記第１のブラケットが前記所定の位置から第２の方向に変位するのを防止するために、前記ロック装置は該別のブロック部をブロックするとともに該別のブロック部によってブロックされ、該第２の方向と前記第１の方向とは反対方向である、請求項１に記載のスライドレールアセンブリ。
【請求項３】
前記ロック装置はロック解除状態をさらに有し、前記第１のブラケットが前記レール部材に対して前記所定の位置にあり且つ前記ロック装置がロック解除状態にある場合、前記ロック装置は前記ブロック部をブロックせず且つ前記ブロック部によってもブロックされないため、前記第１のブラケットを前記所定の位置から前記第１の方向に変位させることができる、請求項１に記載のスライドレールアセンブリ。
【請求項４】
前記ロック装置はロック解除状態をさらに有し、前記第１のブラケットが前記レール部材に対して前記所定の位置にあり且つ前記ロック装置がロック解除状態にある場合、前記ロック装置は、前記ブロック部又は前記別のブロック部をブロックせず且つ前記ブロック部又は前記別のブロック部によってもブロックされない、請求項２に記載のスライドレールアセンブリ。
【請求項５】
前記ロック装置はロック部材及び弾性部を含み、該ロック部材は、該弾性部の弾性力に対応してロック状態で留まる、請求項１に記載のスライドレールアセンブリ。
【請求項６】
前記ロック部材はロック部及び締結部を含み、前記ロック部材がロック状態にある場合に、該締結部が前記第１のブラケットの端壁に対応した状態で前記ロック部が前記ブロック部をブロックするとともに前記ブロック部によってブロックされる、請求項５に記載のスライドレールアセンブリ。
【請求項７】
前記弾性部はロック部を含み、前記ロック部材は、前記ロック状態にある場合に、前記弾性部のロック部を介して前記ブロック部をブロックするとともに前記ブロック部によってブロックされる、請求項５に記載のスライドレールアセンブリ。
【請求項８】
前記ロック部材は前記第１のブラケットに枢結される、請求項５に記載のスライドレールアセンブリ。
【請求項９】
前記レール部材は補助ベースを備え、該補助ベースは通路を含み、前記第１のブラケットは、該通路を介して前記レール部材に対して変位可能である、請求項１に記載のスライドレールアセンブリ。
【請求項１０】
前記第１のブラケットに第２の方向に作用する弾性力を加える弾性部材をさらに含み、該第２の方向と前記第１の方向とは反対方向である、請求項１に記載のスライドレールアセンブリ。
【発明の詳細な説明】
【技術分野】
【０００１】
本発明はスライドレールに関し、より具体的にはブラケットを備えるスライドレールアセンブリに関する。
【背景技術】
【０００２】
一般に、ブラケットはスライドレールアセンブリをラックの対応するポストに取り付けるのに用いられる。例えば、特許文献１には、スライドレール機構２１、第１の取り付けブラケット２７、第２の取り付けブラケット４７、バネ５９及びノブ４９が開示されている。第１の取り付けブラケット２７は、外側レール２３の第１の端部に隣接する位置でスライドレール機構２１の外側レール２３に固定的に取り付けされている。第２の取り付けブラケット４７は、外側レール２３の第２の端部に隣接する位置でスライドレール機構２１の外側レール２３に可動に取り付けられている。バネ５９は、（特許文献１の図１〜図４に示されるように）第２の取り付けブラケット４７が第１の取り付けブラケット２７の方に又は(特許文献１の図５に示される代替的な取り付け方法において示されるように）第１の取り付けブラケット２７から離れる方に付勢されるように第２の取り付けブラケット４７に弾性力を加える。スライドレール機構２１が、第１の取り付けブラケット２７、第２の取り付けブラケット４７及びバネ５９を介してラックシステム１０の対応するポスト１３Ｌ及び１５Ｌに取り付けられると、第２の取り付けブラケット４７をスライドレール機構２１の外側レール２３にロックすることにより取り付け及び位置決めプロセスを完了するために、ノブ４９を締めなければならない。ラックシステム１０のポスト１３Ｌ及び１５Ｌからスライドレール機構２１を取り外すことを望む場合、ノブ４９を緩めることにより第２の取り付けブラケット４７をスライドレール機構２１の外側レール２３から固定解除しなければならない。しかしながら、ノブ４９を締める／緩める動作は非常に不便である。（特許文献１の図面に明確に示されているように）ノブ４９がラックシステム１０の内部に位置するとともに、スライドレール機構２１がラックシステム１０に取り付けられた後ラックシステム１０のポスト１３Ｌから離間しているだけでなく、サイドプレートは通常ラックシステム１０のポスト１３Ｌと１５Ｌとの間に設けられているため、オペレータは小さな空間を介してラックシステム１０内に自身の手を入れなければならない。前述の操作の不便さに対処する必要がある。
【０００３】
特許文献２にはスライドレールのためのブラケット位置決め構造が開示されている。ブラケット位置決め構造は複数のスタッド及び接続要素を含む。スタッドはブラケットに配置され、支持ポストの対応する孔にそれぞれ取り付けられるように構成されている。接続要素は支持ポストに係合するための少なくとも１つの歯を有し、それによりブラケットが特定の位置から特定の方向に変位するのを防止して、支持ポストの対応する孔からスタッドが係る方向に離れさせないようにする(特許文献２の図５を参照)。
【０００４】
特許文献３にはブラケットアセンブリが開示されている。ブラケットアセンブリは複数の取り付け部材及び固定アームを含む。取り付け部材は、ポストの対応する孔にそれぞれ取り付けられるように構成されている。固定アームは、ポストに引っ掛けられるように構成された固定部を有し、それによりブラケットが特定の位置から特定の方向に移動するのを防止して、取り付け部材がポストの対応する孔から係る方向に離れないようにしている(特許文献３の図８参照)。
【先行技術文献】
【特許文献】
【０００５】
【特許文献１】米国特許第６２３０９０３号明細書
【特許文献２】米国特許第７３５７３６２号明細書
【特許文献３】米国特許第８３７１４５４号明細書
【発明の概要】
【発明が解決しようとする課題】
【０００６】
上記から、互いに関連する特許文献１及び２に記載の発明は、ブラケットが特定の位置から特定の方向に変位するのを防止するためにラックのポストに締結される接続要素又は締結アームのいずれかを有するものであることが分かる。しかしながら、スライドレールアセンブリのユーザーは、スライドレールアセンブリのブラケットをこのような形で固定することを望まない場合が時としてある。したがって、ブラケットの固定設計が異なるスライドレール製品を開発することには価値がある。
【０００７】
本発明は、ブラケットを有するスライドレールアセンブリを提供する。
【課題を解決するための手段】
【０００８】
本発明の一態様によれば、スライドレールアセンブリはレール部材及び第１のブラケットを含む。第１のブラケットとレール部材とは、互いに対して変位可能である。レール部材及び第１のブラケットのうちの一方はブロック部（以下では分かり易くするために第１のブロック部という）を備え、レール部材及び第１のブラケットのうちの他方はロック装置を備える。ロック装置はロック状態を有する。第１のブラケットがレール部材に対して所定の位置にあり且つロック装置がロック状態にある場合、ロック装置は、第１のブラケットが所定の位置から第１の方向に変位するのを防止するために、第１のブロック部をブロックするとともに第１のブロック部によってブロックされる。
【０００９】
レール部材及び第１のブラケットのうちの前記一方は第２のブロック部をさらに備え、第１のブラケットがレール部材に対して所定の位置にあり且つロック装置がロック状態にある場合に、第１のブラケットが所定の位置から第１の方向と反対方向である第２の方向に変位するのを防止するために、ロック装置は第２のブロック部をブロックするとともに第２のブロック部によってブロックされることが好ましい。
【００１０】
ロック装置はロック解除状態をさらに有し、第１のブラケットがレール部材に対して所定の位置にあり且つロック装置がロック解除状態にある場合、ロック装置は第１のブロック部をブロックせず且つ第１のブロック部によってもブロックされないため、第１のブラケットを所定の位置から第１の方向に変位させることができることが好ましい。
【００１１】
ロック装置はロック解除状態をさらに有し、第１のブラケットがレール部材に対して所定の位置にあり且つロック装置がロック解除状態にある場合、ロック装置は、第１のブロック部又は第２のブロック部をブロックせず且つ第１のブロック部又は第２のブロック部によってもブロックされないことが好ましい。
【００１２】
ロック装置はロック部材及び弾性部を含み、該ロック部材は、該弾性部の弾性力に対応してロック状態で留まることが好ましい。
【００１３】
ロック部材は第１のブラケットに枢結されることが好ましい。
【００１４】
レール部材は補助ベースを備えることが好ましい。補助ベースは通路を含み、第１のブラケットは、該通路を介してレール部材に対して変位可能であることが好ましい。
【００１５】
スライドレールアセンブリは第１のブラケットに第２の方向（即ち、第１の方向とは反対方向）に作用する弾性力を加える弾性部材をさらに含むことが好ましい。
【００１６】
ロック部材はロック部及び締結部を含み、ロック部材がロック状態にある場合に、締結部が第１のポストに締結された状態でロック部がブロック部をブロックするとともにブロック部によってブロックされることが好ましい。あるいは、ロック部は弾性部に配置さえ、ロック部材は、ロック状態にある場合に、弾性部のロック部を介してブロック部をブロックするとともにブロック部によってブロックされることが好ましい。
【００１７】
スライドレールアセンブリはラックの第１のポスト及び第２のポストに適合され、第２のブラケットをさらに含むことが好ましい。第２のブラケットはレール部材に配置される。第１のブラケット及び第２のブラケットはそれぞれ第１のポスト及び第２のポストにレール部材を取り付けるように構成されている。第１のブラケットは少なくとも１つの第１の取り付け部材を含み、少なくとも１つの第１の取り付け部材は、第１のブラケットがレール部材に対して所定の位置にある場合に第１のポストの少なくとも１つの第１の対応部に挿入される。ロック状態にある場合、ロック装置は第１のブラケットが所定の位置から第１の方向に変位するのを防止し、第１のブラケットの少なくとも１つの第１の取り付け部材が第１のポストの少なくとも１つの第１の対応部から分離しないようにするためにブロック部をブロックするとともにブロック部によってブロックされる。
【００１８】
第１のブラケットがレール部材に対して所定の位置にある場合、第１のポストは第１のブラケットが第１の方向の反対方向である第２の方向に変位するのをブロックすることが好ましい。
【００１９】
第２のブラケットは少なくとも１つの第２の取り付け部材を含み、少なくとも１つの第２の取り付け部材は第２のポストの少なくとも１つの第２の対応部に挿入されるように構成されていることが好ましい。
【００２０】
第１のブラケットはレール部材の端部に隣接し、第２のブラケットはレール部材に配置されるとともにレール部材の前記端部から離間されていることが好ましい。
【００２１】
第１のブラケットがレール部材に対して所定の位置にあり且つロック装置がロック解除状態にある場合、ロック装置は、第１のブラケットが所定の位置から第１の方向に変位して第１のブラケットの少なくとも１つの取り付け部材を第１のポストの少なくとも１つの第１の対応部から分離できるようにブロック部をブロックせず、ブロック部によってもブロックされないことが好ましい。
【００２２】
弾性部材は第１のブラケットに弾性力を加え、それにより第１のブラケットを第１のポストに対して第２の方向に押し付けるように構成されていることが好ましい。
【００２３】
本発明の別の態様によれば、スライドレールアセンブリはレール部材、第１のブラケット、第２のブラケット及び弾性部材を含む。第１のブラケットはレール部材の端部に隣接して配置され、少なくとも１つの取り付け部材を含み、レール部材に対して変位できる。第２のブラケットはレール部材の前記端部から離れた配置され、少なくとも１つの第２の取り付け部材を含む。弾性部材は第１のブラケットに弾性力を加える。
【００２４】
スライドレールアセンブリはロック装置をさらに含み、ロック装置はロック状態及びロック解除状態を有することが好ましい。第１のブラケットがレール部材に対して所定の位置にあり且つロック装置がロック状態にある場合、ロック装置及びレール部材は、ロック装置が第１の方向に変位されるのを防止する干渉関係にあり、その間、弾性部材は第１の方向の反対方向である第２の方向に作用する弾性力を第１のブラケットに加える。
【００２５】
第１のブラケットがレール部材に対して所定の位置にあり且つロック装置がロック解除状態にある場合、ロック装置及びレール部材は干渉関係になく、ロック装置は第１の方向に変位できる。
【図面の簡単な説明】
【００２６】
【図１】図１は、本発明の第１の実施形態に係るスライドレールアセンブリの斜視図であり、ラックに取り付けられたスライドレールアセンブリを示す。
【図２】図２は、本発明の第１の実施形態に係るスライドレールアセンブリの分解斜視図であり、第２のブラケットから分離された第１のブラケットを示す。
【図３】図３は、本発明の第１の実施形態に係るスライドレールアセンブリの組み立て斜視図であり、第１及び第２のブラケットが組み立てられた状態を示す。
【図４】図４は、本発明の第１の実施形態に係るスライドレールアセンブリを示し、第１のブラケットが（第２のブラケットを含む）スライドレールアセンブリの残りの部分から分離されるだけでなく分解図で示される。
【図５】図５は、本発明の第１の実施形態に係るスライドレールアセンブリの概略図であり、レール部材に対して所定の位置にある第１のブラケットを示す。
【図６】図６は、本発明の第１の実施形態に係るスライドレールアセンブリの概略図であり、操作されてロック状態からロック解除状態に切り換えられたロック装置を示す。
【図７】図７は、本発明の第１の実施形態に係るスライドレールアセンブリの概略図であり、レール部材に対して所定の位置から別の所定の位置に第１の方向に変位された第１のブラケットを示す。
【図８】図８は、本発明の第１の実施形態に係るスライドレールアセンブリの概略図であり、ロック装置がロック状態にある、ラックの第１のポスト及び第２のポストに取り付けられたスライドレールアセンブリを示す。
【図９】図９は、図８の丸で囲った領域Ａの拡大図である。
【図１０】図１０は、本発明の第１の実施形態に係るスライドレールアセンブリの概略図であり、ロック装置がロック解除状態にある、ラックの第１のポスト及び第２のポストに取り付けられたスライドレールアセンブリを示す。
【図１１】図１１は、図１０の丸で囲った領域Ａの拡大図である。
【図１２】図１２は、本発明の第１の実施形態に係るスライドレールアセンブリの概略図であり、スライドレールアセンブリの第１のブラケットが第２の所定の位置にあり、第２のブラケットが第２のポストに取り付けられたままで第１のポストから取り外された状態を示す。
【図１３】図１３は、本発明の第１の実施形態に係るスライドレールアセンブリの概略図であり、スライドレールアセンブリの第１のブラケット及び第２のブラケットの双方がラックから取り外された状態を示す。
【図１４】図１４は、本発明の第２の実施形態に係るスライドレールアセンブリの概略図であり、第１のブラケットがレール部材に対して所定の位置にあり、第１のポストに取り付けられた状態を示す。
【図１５】図１５は、本発明の第２の実施形態に係るスライドレールアセンブリの概略図であり、操作されてロック解除状態に切り替えられたロック装置を示す。
【図１６】図１６は、本発明の第２の実施形態に係るスライドレールアセンブリの概略図であり、レール部材に対して所定の位置から別の所定の位置に第１の方向に変位された第１のブラケットを示す。
【図１７】図１７は、本発明の第３の実施形態に係るスライドレールアセンブリの概略斜視図であり、レール部材に対して所定の位置にあり、第１のポストに取り付けられた第１のブラケットを示す。
【図１８】図１８は、本発明の第３の実施形態に係るスライドレールアセンブリの概略斜視図であり、操作されてロック解除状態に切り替えられてロック装置を示す。
【図１９】図１９は、本発明の第３の実施形態に係るスライドレールアセンブリの概略斜視図であり、レール部材に対して所定の位置から別の所定の位置に第１の方向の変位された第１のブラケットを示す。
【図２０】図２０は、本発明の第４の実施形態に係るスライドレールアセンブリの概略図であり、レール部材に対して所定の位置にあり、第１のポストに取り付けられた第１のブラケットを示す。
【図２１】図２１は、本発明の第４の実施形態に係るスライドレールアセンブリの概略図であり、操作されてロック解除状態に切り替えられたロック装置を示す。
【図２２】図２２は、本発明の第４の実施形態に係るスライドレールアセンブリの概略図であり、レール部材に対して所定の位置から別の所定の位置に第１の方向の変位された第１のブラケットを示す。
【図２３】図２３は、本発明の第５の実施形態に係るスライドレールアセンブリの概略図であり、ロック装置がロック状態にある、ラックの第１のポスト及び第２のポストに取り付けられたスライドレールアセンブリを示す。
【発明を実施するための形態】
【００２７】
図１を参照して、本発明の第１の実施形態に係るスライドレールアセンブリは、ラックの第１のポスト２８ａ及び少なくとも１つの第２のポスト２８ｂにそれぞれ第１のブラケット２４及び少なくとも１つの第２のブラケット２６を介して取り付けられるレール部材２２を含む。本実施形態では、一例として、２つの第２のポスト２８ｂと共にそれぞれ用いるための２つの第２のブラケット２６がある。他の実施形態では、１つの第２のポスト２８ｂと共に用いるための第２のブラケット２６を１つだけ含み得る。本発明は第２のブラケット２６及び第２のポスト２８ｂの数の面で限定されない。
【００２８】
図２、図３及び図４を参照して、第１のブラケット２４及びレール部材２２は、お互いに対して変位させることができる。レール部材２２は補助ベース２２ａを備えることが好ましい。本実施形態では、補助ベース２２ａはレール部材２２に固定接続されるため、レール部材２２の一部として見ることができる。補助ベース２２ａはレール部材２２の第１の側に配置され、複数の可動レール（例えば、第１の可動レール２９ａ及び第２の可動レール２９ｂ）はレール部材２２の第２の側に配置され、レール部材２２に対して変位させることができる。
【００２９】
補助ベース２２ａは通路３０を含む。例えば、補助ベース２２ａは第１の壁３２、第２の壁３４及び補助ベース２２ａの第１の壁３２と第２の壁３４との間に接続される長手壁３６を有し、通路３０は、補助ベース２２ａの第１の壁３２、第２の壁３４及び長手壁３６により共に定義される。第１のブラケット２４は、補助ベース２２ａの通路３０内に受容されて、レール部材２２に対して第１のブラケット２４を変位可能にする伸長支持部材２４ａを含むことが好ましい。伸長支持部材２４ａは第１のブラケット２４に固定されているため、第１のブラケット２４の一部として見ることができる。ここで、第１のブラケット２４は、一例としてレール部材２２の端部Ｅ１に隣接している。加えて、第１のブラケット２４は少なくとも１つの第１の取り付け部材３８を含む。他方、第２のブラケット２６はレール部材２２の端部Ｅ１から離れた位置でレール部材２２に配置され（例えば、レール部材２２の反対側の端部Ｅ２に配置される）、少なくとも１つの第２の取り付け部材４０を含む。
【００３０】
レール部材２２及び第１のブラケット２４のうちの一方にはブロック部４２が設けられ、レール部材２２及び第１のブラケット２４のうちの他方にはロック装置４４が設けられる。ここでは、一例として、レール部材２２にブロック部４２が設けられ、第１のブラケット２４にロック装置４４が設けられている。
【００３１】
ブロック部４２はレール部材２２の端部Ｅ１に隣接して配置され、限定されないが突起又は壁等の所定の構造体である。ロック装置４４はロック部材４６及び弾性部４８を含む。ロック部材４６は、弾性部４８によりロック部材４６に加えられる弾性力に対応して特定の状態に留まる。この実施形態では、弾性部４８は一例としてねじりバネであり、代替的な実施形態では、弾性部４８は、限定されないが弾性プレート、可撓性物体又は同様の弾性部品であり得る。
【００３２】
ロック部材４６は操作部４６ａ及びロック部４６ｂを含み、操作部４６ａとロック部４６ｂとの間には、ロック部材４６を第１のブラケット２４に枢結するためにシャフト４６ｃが配置されることが好ましい。
【００３３】
第１のブラケット２４は側壁５０と、側壁５０に実質的に垂直に接続される端壁５２とを含むことが好ましい。側壁５０は、第１のブラケット２４の両側を連通させる開口５４を有し、ロック部材４６は開口５４と位置が対応する。少なくとも１つの第１の取り付け部材３８が端壁５２に配置される。
【００３４】
スライドレールアセンブリは、第１のブラケット２４に弾性力を加えるための弾性部材５６をさらに含むことが好ましい。ここで、弾性部材５６は一例としてレール部材２２の補助ベース２２ａ及び第１のブラケット２４の伸長支持部材２４ａにそれぞれ接続される２つの部分を有する。
【００３５】
図５を参照して、ロック装置４４はロック状態Ｓ１を有する。例えば、ロック装置４４のロック部材４６は、弾性部４８の弾性力に対応してロック状態Ｓ１に留まる。第１のブラケット２４がレール部材２２に対して所定の位置Ｐ１（例えば、伸長位置）にあり且つロック装置４４がロック状態Ｓ１にある場合、ロック装置４４は、第１のブラケット２４が所定の位置Ｐ１から第１の方向Ｄ１（図６に示す方向）に変位しないようにするために、ブロック部４２をブロックするとともにブロック部４２によりブロックされる。より具体的には、ロック部材４６がロック状態Ｓ１にある場合、ロック部材４６のロック部４６ｂはレール部材２２のブロック部４２と位置が対応する。その結果、レール部材２２のブロック部４２は、ロック部材４６のロック部４６ｂをブロックし、それにより第１のブラケット２４がレール部材２２に対して所定位置Ｐ１から第１の方向Ｄ１に変位するのが防止される。
【００３６】
図６及び図７を参照して、ロック装置４４はさらにロック解除状態Ｓ２を有する。第１のブラケット２４がレール部材２２に対して所定の位置Ｐ１にある場合、ロック装置４４とブロック部４２とが互いをブロックし合わないようにするために、ロック装置４４をロック解除状態Ｓ２に切り替えることができる。この目的は、第１のブラケット２４を所定の位置Ｐ１から第１の方向Ｄ１に変位させることができるようにすることである。より具体的には、ロック部材４６のロック部４６ｂがレール部材２２のブロック部４２と位置がもはや対応せず、故にブロックされないようにするために、ロック装置４４のロック部材４６の操作部４６ａに力Ｆを加えて所定の角度ロック部材４６を枢動させることができる。これにより、第１のブラケット２４をレール部材２２に対して所定の位置Ｐ１から他の所定の位置Ｐ２（例えば、引っ込め位置）へと第１の方向Ｄ１に変位させることができる。
【００３７】
なお、第１のブラケット２４は位置制限部５８をさらに含む。第１のブラケット２４が所定の位置Ｐ１にある場合、ロック状態Ｓ１にあるロック部材４６は、位置制限部５８に対して押し付けられる。
【００３８】
図８及び図９を参照して、レール部材２２は、第１のブラケット２４及び第２のブラケット２６のそれぞれを介して第１のポスト２８ａ及び第２のポスト２８ｂに取り付けられている。より具体的には、図８の第１のブラケット２４はレール部材２２に対して所定の位置Ｐ１にあり、少なくとも１つの第１の取り付け部材３８は、第１のポスト２８ａの少なくとも１つの第１の対応部Ｈ１(例えば、少なくとも１つの第１の孔)に挿入されている。さらに、ロック装置４４がロック状態Ｓ１にあることで、ロック装置４４のロック部材４６はブロック部４２をブロックするとともにブロック部４２によりブロックされて（ロック状態Ｓ１にあるロック装置４４とレール部材２２とは、ロック装置４４が第１の方向Ｄ１に変位するのを防止する干渉関係にある）、第１のブラケット２４が所定の位置Ｐ１から第１の方向Ｄ１に変位するのを維持して、第１のブラケット２４の少なくとも１つの第１の取り付け部材３８が第１のポスト２８ａの少なくとも１つの第１の対応部Ｈ１から離されないようにする。加えて、第１のポスト２８ａは、第１のブラケット２４がレール部材２２に対して所定の位置Ｐ１にある場合に、第１のブラケット２４が第２の方向Ｄ２（第１の方向Ｄ１と反対の方向）に変位するのをブロックする。より具体的には、弾性部材５６は、第２の方向Ｄ２に作用し、第１のブラケット２４を第２の方向Ｄ２に付勢する弾性力を第１のブラケット２４に加える。その結果、第１のブラケット２４の端壁５２は第１のポスト２８ａに対して第２の方向Ｄ２に押し付けられて、第１のブラケット２４の少なくとも１つの第１の取り付け部材３８を第１のポスト２８ａの少なくとも１つの第１の対応部Ｈ１に対してしっかりと又は確実に取り付けられるのに役立つ。例えば、弾性部材５６の弾性力により、第１のブラケット２４の少なくとも１つの第１の取り付け部材３８を、第１のポスト２８ａの少なくとも１つの第１の対応部Ｈ１に挿入されたままにすることができる。図８の第２のブラケット２６は、第２のポスト２８ｂの少なくとも１つの第２の対応部Ｈ２（例えば、少なくとも１つの第２の孔）に挿入された少なくとも１つの第２の取り付け部材４０を有する。
【００３９】
図１０及び図１１を参照して、レール部材２２を第１のポスト２８ａから取り外すことが望ましい場合、ユーザーは、ロック装置４４のロック部材４６が所定の角度枢動されることによりロック状態Ｓ１からロック解除状態Ｓ２（図１１参照）に切り換えられるように力Ｆを加えることができる。ロック解除状態Ｓ２では、ロック部材４６のロック部４６ｂのレール部材２２のブロック部４２と位置が対応していないため、ブロック部４２によりブロックされていない（すなわち、ロック解除状態Ｓ２にあるロック装置４４とレール部材２２とは、ロック装置４４が第１の方向Ｄ１に変位するのを防止する前述の干渉関係にない)。その結果、第１のブラケット２４の少なくとも１つの第１の取り付け部材３８を第１のポスト２８ａの少なくとも１つの第１の対応部Ｈ１から分離するために、第１のブラケット２４をレール部材２２に対して所定の位置Ｐ１から所定の位置Ｐ２（図１２参照）へと第１の方向Ｄ１に変位させることができる。
【００４０】
図１３を参照して、第１のブラケット２４の少なくとも１つの第１の取り付け部材３８が第１のポスト２８ａの少なくとも１つの第１の対応部Ｈ１から分離されると、第２のブラケット２６の少なくとも１つの第２の取り付け部材４０は、レール部材２２がラックから取り外されるように第２のポスト２８ｂの少なくとも１つの第２の対応部Ｈ２から分離できる。なお、レール部材２２は、図８、図１０、及び図１２の工程を逆の順序で行うことによりラックに再度取り付けることができる。再取り付け工程については、簡略化のために説明を省略する。
【００４１】
図１４は、本発明の第２の実施形態に係るスライドレールアセンブリのレール部材２００を示す。１つのブロック部４２を備える第１の実施形態のレール部材２２とは異なり、第２の実施形態におけるレール部材２００は２つのブロック部、例えば、第１のブロック部２０２及び第２のブロック部２０４を備える。
【００４２】
より具体的には、第１のブラケット２０６がレール部材２００に対して所定の位置Ｐ１にあり且つロック装置２０８のロック部材２１０が弾性部２０５の弾性力に対応してロック状態Ｓ１にある場合、ロック部材２１０のロック部２１２は、第１のブラケット２０６が所定の位置Ｐ１から第１の方向Ｄ１に変位するのを防止するために、一方のブロック部（例えば、第１のブロック部２０２）をブロックするとともに一方のブロック部によりブロックされる。加えて、第１のブラケット２０６がレール部材２００に対して所定の位置Ｐ１にあり且つロック装置２０８がロック状態Ｓ１にある場合、ロック部材２１０のロック部２１２は、第１のブラケット２０６が所定の位置Ｐ１から第２の方向Ｄ２に変位するのを防止するために、他のブロック部（例えば、第２のブロック部２０４）をブロックするとともに他のブロック部によりブロックされる。
【００４３】
上記から、第２の実施形態の第１のブラケット２０６は、レール部材２００に対して所定の位置Ｐ１にある場合に、（第１の実施形態のように）１つの方向だけではなく２つの方向でブロックされることが分かる。この構成は、第１のブラケット２０６が所定の位置Ｐ１から第１の方向Ｄ１及び第２の方向Ｄ２のいずれかに任意に変位されるのを防止し、第１のブラケット２０６（より具体的には、第１のブラケット２０６の少なくとも１つの第１の取り付け部材３８）を第１のポスト２８ａに（より具体的には、第１のポスト２８ａの少なくとも１つの第１の対応部Ｈ１)にしっかりと又は確実に取り付けることに寄与する。
【００４４】
図１５及び図１６を参照して、ロック装置２０８がロック状態Ｓ１からロック解除状態Ｓ２に切り替えられると、ロック装置２０８のロック部材２１０のロック部２１２（図１４参照）と第１のブロック部２０２及び第２のブロック部２０４との相互干渉状態が解消されるため、第１のブラケット２０６をレール部材２００に対して所定の位置Ｐ１から所定の位置Ｐ２に第１の方向Ｄ１に変位させることができ、それにより第１のブラケット２０６の少なくとも１つの第１の取り付け部材３８を第１のポスト２８ａの少なくとも1つの第1の対応部Ｈ１から第１の方向Ｄ１に分離できる。
【００４５】
図１７は、本発明の第３の実施形態に係るスライドレールアセンブリのレール部材３００を示す。第１のブラケット２０６がレール部材２００に対して所定の位置Ｐ１にあり且つロック装置２０８がロック状態Ｓ1にある場合に、ロック装置２０８のロック部２１２が第１のブロック部２０２及び第２のブロック部２０４によりそれぞれ２つの方向でブロックされる第２の実施形態と同様に、第３の実施形態も、ロック装置３０６がロック状態Ｓ１にある場合に、レール部材３００の２つのブロック部（例えば、第1のブロック部３０２及び第２のブロック部３０４）とロック装置３０６のロック部材３０８のロック部３１０との協働を通じて２つの方向で干渉が生じる。しかしながら、第３の実施形態は、ロック部材３０８が締結部３１２をさらに含む点で第２の実施形態と異なる。
【００４６】
ロック部材３０８がロック状態Ｓ１にある場合、ロック部材３０８のロック部３１０は、第１の安全機構を提供するために２つのブロック部３０２及び３０４をブロックするとともに２つのブロック部３０２及び３０４にブロックされる。さらに、締結部３１２は第１のブラケット３１４の端壁に対応し、第２の安全機構を提供するために第１のポスト２８ａに締結される。２つの安全機構は、第１のブラケット３１４がレール部材３００に対して所定の位置Ｐ１にある場合に、第１のブラケット３１４の少なくとも１つの第１の取り付け部材３８が第１のポスト２８ａの少なくとも1つの第1の対応部Ｈ１から離れるのを防止する。これは、第１のブラケット３１４の少なくとも１つの第１の取り付け部材３８を第１のポスト２８ａの少なくとも1つの第1の対応部Ｈ１にしっかりと又は確実に取り付けるのに寄与する。
【００４７】
図１８及び図１９を参照して、ロック装置３０６がロック状態Ｓ１からロック解除状態Ｓ２に切り替えられると、ロック装置３０６のロック部材３０８のロック部３１０（図１７参照）と２つのブロック部３０２及び３０４との間の相互干渉状態が解消され、締結部３１２はもはや第１のブラケット３１４の端壁に対応せず、第１のポスト２８Ａに締結されていない（図１８参照）。その結果、第１のブラケット３１４をレール部材３００に対して所定の位置Ｐ１から所定の位置Ｐ２に第１の方向Ｄ１に変位させることができ（図１９参照）、それにより第１のブラケット３１４の少なくとも１つの第１の取り付け部材３８を第１のポスト２８ａの少なくとも1つの第1の対応部Ｈ１から分離できる。
【００４８】
図２０は、本発明の第４の実施形態に係るスライドレールアセンブリのレール部材４００を示す。第１〜第３の実施形態とは異なり、第４の実施形態では、ロック部４１０がロック装置４０４のロック部材４０６の一部ではなく、弾性部４０８の一部（すなわち、弾性部４０８はロック部４１０を有する）であるように設計され、第１のブラケット４０２がレール部材４００に対して所定の位置Ｐ１にあり、ロック装置４０４がロック状態Ｓ１にある場合、ロック装置４０４のロック部材４０６は、弾性部４０８のロック部４１０を介して、レール部材４００の第１のブロック部４１２及び第２のブロック部４１４をブロックし且つ第１のブロック部４１２及び第２のブロック部４１４によりブロックされる。それにより、第１のブラケット４０２が所定の位置Ｐ１から第１の方向Ｄ１及び第２の方向Ｄ２のいずれにも変位するのが防止される。本実施形態における弾性部４０８は、一例として弾性プレート又は可撓性物体であるが、本発明はこの点について何ら限定されない。ロック部材４０６は、第１のポスト２８ａに締結されるように構成された締結部４１６を有することが好ましい。
【００４９】
図２１及び図２２を参照して、ロック装置４０４がロック状態Ｓ１からロック解除状態Ｓ２に切り替わると、ロック装置４０４のロック部材４０６は、弾性部４０８のロック部４１０を介して２つのブロック部４１２及び４１４によってもはやブロックされておらず、締結部４１６は第１のポスト２８ａ（図２１参照）にもはや締結されていない。したがって、第１のブラケット４０２をレール部材４００に対して所定の位置Ｐ１から所定の位置Ｐ２へと第１の方向Ｄ１に変位させることができるため、第１のブラケット４０２の少なくとも１つの第１の取り付け部材３８を第１のポスト２８ａの少なくとも１つの第１の対応部Ｈ１から第１の方向Ｄ１に分離させることができる（図２２参照）。
【００５０】
図２３は、本発明の第５の実施形態に係るスライドレールアセンブリのレール部材５００を示す。第１のブラケット２４（２０６、３１４）の少なくとも１つの第１の取り付け部材３８が第１のポスト２８ａの少なくとも１つの第１の対応部Ｈ１に第２の方向に取り付けられる（又は挿入される）第１〜第３の実施形態とは異なり、第５の実施形態における第１のブラケット５０２の少なくとも1つの第１の取り付け部材３８は、第１のポスト２８ａの少なくとも１つの第１の対応部Ｈ１に第１の方向に取り付けられる（又は挿入される）。さらに、ロック部５１０は、ロック装置５０４のロック部材５０６の一部ではなく、弾性部５０８の一部（即ち、弾性部５０８がロック部５１０を有する）である。第１のブラケット５０２がレール部材５００に対して所定の位置Ｐ１にあり且つロック装置５０４がロック状態Ｓ１にある場合、ロック装置５０４のロック部材５０６は、弾性部５０８のロック部５１０を介して、レール部材５００の第１のブロック部５１２及び第２のブロック部５１４をブロックするとともに第１のブロック部５１２及び第２のブロック部５１４によりブロックされ、それにより第１のブラケット５０２が所定の位置Ｐ１から第１の方向Ｄ１及び第２の方向Ｄ２のいずれにも変位するのが防止される。加えて、弾性部材５１６は、第１の方向Ｄ１に作用し、故に第１のブラケット５０２を第１の方向Ｄ１に付勢させる弾性力を第1のブラケット５０２に加える。この弾性力は、第１のブラケット５０２の端壁５１８を第１のポスト２８ａに対して第１の方向Ｄ１に押し付けて、第１のブラケット５０２の少なくとも１つの第１の取り付け部材３８が第１のポスト２８ａの少なくとも１つの第１の対応部Ｈ１にしっかりと又は確実に取り付けられることを確かなものにする。例えば、弾性部材５１６の弾性力は、第１のブラケット５０２の少なくとも１つの第１の取り付け部材３８が第１のポスト２８ａの少なくとも１つの第１の対応部Ｈ１に挿入されたままにする。他方、第２のブラケット５２０は、第２のポスト２８ｂの少なくとも１つの対応部Ｈ２に取り付けられる少なくとも１つの第２の取り付け部材５２２を有する。
【００５１】
上記によれば、前述の実施形態で開示したスライドレールアセンブリは以下の技術的特徴を有することが好ましい。
【００５２】
１）上述の実施形態における第１のブラケットは、ラックのポストに締結される接続要素又は締結アームにより特定の位置から特定の方向に変位しないようにされる従来のスライドレールブラケットとは異なるデザインを有する。本発明の第１の実施形態を例に取ると、第１の実施形態の第１のブラケット２４がレール部材２２に対して所定の位置Ｐ１にあり且つロック装置４４がロック状態Ｓ１にある場合、ロック装置４４は、第１のブラケット２４がレール部材２２に対して所定の位置Ｐ１から第１の方向Ｄ１に変位するのを防止するためにブロック部４２をブロックするとともにブロック部４２によりブロックされる。ロック装置４４がロック状態Ｓ１から解除されると（例えば、ロック解除状態Ｓ２にされると）、第１のブラケット２４はレール部材２２に対して所定の位置Ｐ１から第１の方向Ｄ１に（例えば、所定の位置Ｐ２に）変位できる。
【００５３】
２）第１の実施形態の第１のブラケット２４がレール部材２２に対して所定の位置Ｐ１にある場合、ロック状態Ｓ１にあるロック装置４４及びブロック部４２は互いをブロックして第１のブラケット２４がレール部材２２に対して所定の位置Ｐ１から第１の方向Ｄ１に変位するのを防止するだけでなく、弾性部材５６が、第２の方向Ｄ２（第１の方向Ｄ１と反対の方向）に作用して第１のブラケット２４が第２の方向Ｄ２に付勢させる弾性力を第１のブラケット２４に加える。この構成は、第１の実施形態のスライドレールアセンブリがラックポスト（例えば、第１のポスト２８ａ）に適用された場合に、第１のブラケット２４の少なくとも１つの第１の取り付け部材３８が第１のポスト２８ａの少なくとも１つの第１の対応部Ｈ１にしっかりと又は確実に取り付けられるのを確かなものにするのに役立つ。
【００５４】
３）第１の実施形態の第１のブラケット２４がレール部材２２に対して所定の位置Ｐ１にあり且つロック装置４４がロック状態Ｓ１にある場合、ロック装置４４は、第１のブラケット２４がレール部材２２に対して所定の位置Ｐ１から第１の方向Ｄ１に変位するのを防止する、即ち、第１のブラケット２４を１つの方向にブロックするためにブロック部４２をブロックするとともにブロック部４２によりブロックされる。第２（第３、第４又は第５）の実施形態の第１のブラケット２０６（３１４、４０２、５０２）がレール部材２００（３００、４００、５００）に対して所定の位置Ｐ１にあり且つロック装置２０８（３０６、４０４、５０４）がロック状態Ｓ１にある場合、ロック装置２０８（３０６、４０４、５０４）は、第１のブラケット２０６（３１４、４０２、５０２）がレール部材２００（３００、４００、５００）に対して所定の位置Ｐ１から第１の方向Ｄ１及び第２の方向Ｄ２のいずれにも変位するのを防止するために、即ち、第１のブラケット２０６（３１４、４０２、５０２）を２つの方向でブロックするために、２つのブロック部２０２及び２０４（３０２及び３０４、４１２及び４１４、５１２及び５１４）をブロックするとともに２つのブロック部２０２及び２０４（３０２及び３０４、４１２及び４１４、５１２及び５１４）にブロックされる。
【００５５】
４）第３の実施形態のロック部材３０８は、第１のブラケット３１４の少なくとも１つの第１の取り付け部材３８が第１のポスト２８ａによりしっかりと又はより確実に取り付けることができるように締結部３１２をさらに含む。
【００５６】
５）第１（又は第２、第３）の実施形態の第１のブラケット２４（２０６、３１４）がレール部材２２（２００、３００）に対して所定の位置Ｐ１にあり且つロック装置４４（２０８、３０６）のロック部材４６（２１０、３０８）がロック状態Ｓ１にある場合、ロック部材４６（２１０、３０８）のロック部４６ｂ（２１２、３１０）はブロック部４２（２０２、３０２）をブロックするとともにブロック部４２（２０２、３０２）にブロックされる。代替の実施形態、例えば第４（又は第５）の実施形態では、ロック装置４０４（５０４）のロック部材４０６（５０６）は、弾性部４０８（５０８）のロック部４１０（５１０）がロック状態Ｓ１にある場合にブロック部４１２（５１２）をブロックし且つブロックされる。
【００５７】
６）第１の実施形態の第１のブラケット２４がレール部材２２に対して所定の位置Ｐ１にあり且つロック装置４４がロック状態Ｓ１にある場合、ロック装置４４とレール部材２２とは干渉関係にあり、ロック装置４４は第１の方向Ｄ１に変位するのが防止される。一方、弾性部材５６は第２の方向Ｄ２（第１の方向Ｄ１の反対方向）に作用する弾性力を第１のブラケット２４に加える。第５の実施形態の第１のブラケット５０２がレール部材５００に対して所定の位置Ｐ１にあり且つロック装置５０４がロック状態Ｓ１にある場合、ロック装置５０４とレール部材５００とは干渉関係にあり、ロック装置５０４が第２の方向Ｄ２に変位するのが防止される（例えば、ロック装置５０４のロック部５１０がブロック部５１２によりブロックされる）。一方、弾性部材５１６は、第１の方向Ｄ１（第２の方向Ｄ２の反対方向）に作用する弾性力を第１のブラケット５０２に加える。前述の構成のいずれも、第１のブラケット２４（５０２）をラックポスト（例えば、第１のポスト２８ａ）にしっかりと又は確実に取り付けるのに役立つ。
【００５８】
上述の実施形態を通じて本発明を開示してきたが、これらの実施形態は本発明の範囲を制限することを意図したものではない。出願人が求める特許保護の範囲は、添付の特許請求の範囲によって定義される。
【符号の説明】
【００５９】
２２  レール部材
２２ａ  補助ベース
２４  第１のブラケット
２６  第２のブラケット
２８ａ  第１のポスト
２８ｂ  第２のポスト
３０  通路
３８  第１の取り付け部材
４０  第２の取り付け部材
４２  ブロック部
４４  ロック装置
４６  ロック部材
４８  弾性部
５０  側壁
５２  端壁
５４  開口
５６  弾性部材
５８  位置制限部
３１２  締結部
３１０  ロック部
【図１】
2020199242.tif 000003
【図２】
2020199242.tif 000004
【図３】
2020199242.tif 000005
【図４】
2020199242.tif 000006
【図５】
2020199242.tif 000007
【図６】
2020199242.tif 000008
【図７】
2020199242.tif 000009
【図８】
2020199242.tif 000010
【図９】
2020199242.tif 000011
【図１０】
2020199242.tif 000012
【図１１】
2020199242.tif 000013
【図１２】
2020199242.tif 000014
【図１３】
2020199242.tif 000015
【図１４】
2020199242.tif 000016
【図１５】
2020199242.tif 000017
【図１６】
2020199242.tif 000018
【図１７】
2020199242.tif 000019
【図１８】
2020199242.tif 000020
【図１９】
2020199242.tif 000021
【図２０】
2020199242.tif 000022
【図２１】
2020199242.tif 000023
【図２２】
2020199242.tif 000024
【図２３】
2020199242.tif 000025